(57)【要約】【課題】電線収容室内での電線の振動を防止でき、しかも、分解作業性が良いコネクタカバーを提供する。【解決手段】コネクタハウジング２の電線引出側に装着され、コネクタハウジング２より引き出された電線Ｗを電線収容室１４を通して外部に導き出すコネクタカバー１０であって、コネクタハウジング２に係止されるロック爪１５と、電線収容室１４に配策された電線Ｗを保持する電線保持部１６と、ロック爪１５の変移に連動し、ロック爪１５が係止解除位置に変移されると、電線保持部１６を保持解除位置に変位させる解除補助部４０とを備えた。【選択図】図６
2013008561.tif 000002
【特許請求の範囲】
【請求項１】
コネクタハウジングの電線引出側に装着され、前記コネクタハウジングより引き出された電線を電線収容室を通して外部に導き出すコネクタカバーであって、
前記コネクタハウジングに係止されるロック部と、前記電線収容室に配策された前記電線を保持する電線保持部と、前記ロック部の変移に連動し、前記ロック部が係止解除位置に変移されると、前記電線保持部を保持解除位置に変位させる解除補助部とを備えたことを特徴とするコネクタカバー。
【請求項２】
請求項１記載のコネクタカバーであって、
前記電線保持部は、前記電線を挟持する一対の電線挟持アームより形成され、前記解除補助部は、前記ロック部と一方の前記電線挟持アームの間を連結していることを特徴とするコネクタカバー。
【発明の詳細な説明】
【技術分野】
【０００１】
本発明は、コネクタハウジングの電線引出側に装着されるコネクタカバーに関する。
【背景技術】
【０００２】
この種の従来のコネクタカバーとしては、特許文献１や特許文献２に開示されたものが提案されている。これら従来例のコネクタカバーは、コネクタハウジングの電線引出側に装着され、コネクタハウジングより引き出された電線を内部の電線収容室を通して外部に導き出す。コネクタカバーは、電線を外部に引き出す外側箇所に電線保持部を有する。従って、コネクタハウジングの電線引出箇所が直接被水するのを極力防止できる。電線に引っ張り力が作用すると、この引っ張り力をコネクタカバーで受けることによって、引っ張り力がコネクタハウジングの電線引出箇所や電線端末に接続された端子に作用するのを防止できる。
【先行技術文献】
【特許文献】
【０００３】
【特許文献１】特開平１０−５５８４９号公報
【特許文献２】特開平１０−５５８４８号公報
【発明の概要】
【発明が解決しようとする課題】
【０００４】
しかしながら、従来例のコネクタカバーは、電線収容室内で電線が自由に振動することができる。従って、電線収容室内での電線の振動による不具合、例えば電線被覆の損傷等を防止することができない。
【０００５】
そこで、本発明は、前記した課題を解決すべくなされたものであり、電線収容室内での電線の振動を防止でき、しかも、分解作業性が良いコネクタカバーを提供することを目的とする。
【課題を解決するための手段】
【０００６】
本発明は、コネクタハウジングの電線引出側に装着され、前記コネクタハウジングより引き出された電線を電線収容室を通して外部に導き出すコネクタカバーであって、前記コネクタハウジングに係止されるロック部と、前記電線収容室に配策された前記電線を保持する電線保持部と、前記ロック部の変移に連動し、前記ロック部が係止解除位置に変移されると、前記電線保持部を保持解除位置に変位させる解除補助部とを備えたことを特徴とする。
【０００７】
前記電線保持部は、前記電線を挟持する一対の電線挟持アームより形成され、前記解除補助部は、前記ロック部と一方の前記電線挟持アームの間を連結しているものを含む。
【発明の効果】
【０００８】
本発明によれば、電線収容室内では、電線が電線保持部で保持されるため、電線収容室内での電線の振動を防止できる。また、コネクタハウジングよりコネクタカバーを取り外すべく、ロック部を係止解除位置に変移すると、解除補助部によって電線保持部が保持解除位置に変位し、コネクタカバーより電線も同時に外れるため、電線の取り外し作業を別途行う必要がない。以上より、電線収容室内での電線の振動を防止でき、しかも、コネクタカバーの分解作業性が良い。
【図面の簡単な説明】
【０００９】
【図１】本発明の一実施形態を示し、コネクタの分解斜視図である。
【図２】本発明の一実施形態を示し、コネクタの側面図である。
【図３】本発明の一実施形態を示し、コネクタカバーの内面図である。
【図４】本発明の一実施形態を示し、図３のＡ−Ａ線断面図である。
【図５】本発明の一実施形態を示し、図３のＢ−Ｂ線断面図である。
【図６】本発明の一実施形態を示し、（ａ）は内面側から見たコネクタカバーの斜視図、（ｂ）は図５の要部拡大断面図である。
【図７】比較例を示し、コネクタの分解斜視図である。
【図８】比較例を示し、コネクタの側面図である。
【図９】比較例を示し、コネクタカバーの内面図である。
【図１０】比較例を示し、図９のＣ−Ｃ線断面図である。
【発明を実施するための形態】
【００１０】
以下、本発明の実施形態を図面に基づいて説明する。
【００１１】
（実施形態）
図１〜図５は本発明の一実施形態を示す。図１及び図２において、コネクタ１は、コネクタハウジング２と、このコネクタハウジング２に装着された本発明に係るコネクタカバー１０と、コネクタカバー１０に一端側が固定されたコルゲートチューブ３０とを備えている。
【００１２】
コネクタハウジング２は、前面に開口されたコネクタ嵌合室（図示せず）と後面に開口する一対の電線出口３を有する。コネクタ嵌合室には、相手コネクタ（図示せず）が嵌合される。コネクタ嵌合室の奥位置には、相手コネクタの端子（図示せず）が接続される一対の端子（図示せず）が配置されている。各端子には、電線Ｗの端末がそれぞれ接続されている。一対の電線Ｗは、一対の電線出口３より外部に引き出されている。各電線出口３には、電線Ｗの外周に取り付けられた防水栓４が圧入されている。各防水栓４によって、水等が電線出口３からコネクタハウジング２内に侵入するのを防止している。コネクタハウジング２の後側には、カバー取付壁５が一体に設けられている。カバー取付壁５は、一対の電線出口３の全周囲を囲んでいる。カバー取付壁５の両側部には、ロック溝６がそれぞれ設けられている。
【００１３】
コネクタカバー１０は、図３〜図５に詳しく示すように、カバー本体１１と、このカバー本体１１の側部にヒンジ部２０を介して連結されたコルゲート蓋部２１とを備えている。
【００１４】
カバー本体１１は、電線カバー本体部１２とこの電線カバー本体部１２の下方に一体に設けられたコルゲート保持部１３とを有する。電線カバー本体部１２の内部には、電線収容室１４が設けられている。電線カバー本体部１２の両側部には、ロック部であるロック爪１５がそれぞれ設けられている。電線カバー本体部１２には、各ロック爪１５の上下端の位置にスリット１５ａがそれぞれ形成されている。これにより、各ロック爪１５が図６（ａ）、（ｂ）の押圧力Ｆによって係止解除方向に撓み変移し易いようになっている。一対のロック爪１５がカバー取付壁５の一対のロック溝６に係止することによってコネクタカバー１０がコネクタハウジング２に装着されている。コネクタカバー１０の装着状態では、電線カバー本体部１２の前端側がカバー取付壁５の後端側に一部重なり合った状態で嵌合される。これにより、電線収容室１４がほぼ閉塞状態とされる。
【００１５】
電線収容室１４には、左右２箇所に電線保持部１６が突設されている。各電線保持部１６は、各電線Ｗを挟持する一対の電線挟持アーム１６ａより形成されている。コネクタハウジング２の電線出口３より引き出された各電線Ｗは、一対の電線挟持アーム１６ａで保持された状態で電線収容室１４に配策される。
【００１６】
一対の電線挟持アーム１６ａは、その隙間に電線Ｗが押し込まれると、互いに隙間を広げる方向に撓み変形して電線Ｗの挿入を許容する。一対の電線挟持アーム１６ａは、電線Ｗが隙間の幅狭位置より奥まで押し込まれると、撓み復帰力によって電線Ｗを挟持する。従って、電線保持部１６は、電線Ｗの自由な振動を抑えた状態で保持する。
【００１７】
各電線保持部１６の一方の電線挟持アーム１６ａと各ロック爪１５の間は、解除補助部４０によってそれぞれ連結されている。各解除補助部４０は、内側の各電線挟持アーム１６ａの先端側で連結されている。各解除補助部４０は、各ロック爪１５の内面側で連結されている。各解除補助部４０は、ロック爪１５の変移に連動し、図６（ｂ）にて仮想線で示すように、ロック爪１５が係止解除方向に変移されると、一方の電線挟持アーム１６ａを挟持解除方向に撓み変形させる。
【００１８】
各解除補助部４０には、円弧状の防水栓押さえ部１７がそれぞれ突設されている。各防水栓押さえ部１７の先端は、防水栓４に当接している。防水栓押さえ部１７によって、各防水栓４の電線引出方向への移動が阻止されている。
【００１９】
図１〜図３に示すように、コルゲート保持部１３の端部にヒンジ部２０を介してコルゲート蓋部２１が連結されている。コルゲート保持部１３の両側部にはロック爪２２が、コルゲート蓋部２１の両端部には、枠状のロックアーム２３がそれぞれ設けられている。コルゲート保持部１３のロック爪２２がコルゲート蓋部２１のロックアーム２３に係止されることによってコルゲート蓋部２１がコルゲート保持部１３に合体される。コルゲート保持部１３とコルゲート蓋部２１の内部には、コルゲートチューブ保持室２４が構成される。コルゲートチューブ保持室２４は、一端側が電線収容室１４に連通し、他端側が外部に開口している。コルゲートチューブ保持室２４の内壁は、コルゲートチューブ３０の外周凹凸形状に対応する凹凸壁２５に形成されている。コルゲート蓋部２１がコルゲート保持部１３に合体された状態では、コルゲート保持部１３とコルゲート蓋部２１の凹凸壁２５にコルゲートチューブ３０の一端側が噛み合わされている。これによって、コルゲートチューブ３０は、その一端側がコネクタカバー１０に固定されている。電線収容室１４に配策された一対の電線Ｗは、コルゲートチューブ３０内を通ってコネクタカバー１０より引き出されている。
【００２０】
以上説明したように、コネクタカバー１０は、電線収容室１４に配策された電線Ｗを保持する電線保持部１６を備えている。従って、電線収容室１４内では、電線Ｗが電線保持部１６で保持されるため、電線収容室１４内での電線Ｗの振動を防止できる。
【００２１】
また、コネクタカバー１０は、電線保持部１６に加えて、コネクタハウジング２に係止されるロック爪１５と、ロック爪１５の変移に連動し、ロック爪１５が係止解除位置に変移されると、電線保持部１６を保持解除位置に変位させる解除補助部４０とを備えている。従って、コネクタハウジング２よりコネクタカバー１０を取り外すべく、一対のロック爪１５を係止解除位置に変移すると、各解除補助部４０によって各電線保持部１６が保持解除位置に変位し、コネクタカバー１０より電線Ｗも同時に外れるため、電線Ｗの取り外し作業を別途行う必要がない。以上より、電線収容室１４内での電線Ｗの振動を防止でき、しかも、コネクタカバー１０の分解作業性が良い。
【００２２】
電線保持部１６は、電線Ｗを挟持する一対の電線挟持アーム１６ａより形成され、解除補助部４０は、ロック爪１５と一方の電線挟持アーム１６ａの間を連結する構造である。従って、解除補助部４０は、簡単な構造によって構成できる。
【００２３】
解除補助部４０には、防水栓押さえ部１７が設けられている。従って、電線Ｗの引っ張り力が防水栓４に作用しても、防水栓４が電線引出方向に移動して電線出口３から脱落するのを防止できる。
【００２４】
（比較例）
図７〜図１０は、本発明の比較例を示す。図７〜図１０において、本発明の比較例のコネクタカバーを適用したコネクタ１００は、コネクタハウジング１０２と、このコネクタハウジング１０２に装着されたコネクタカバー１１０と、コネクタカバー１１０に一端側が固定されたコルゲートチューブ１３０とを備えている。
【００２５】
コネクタハウジング１０２の後面には、一対の電線出口１０３が設けられている。一対の電線出口１０３より一対の電線Ｗが外部に引き出されている。
【００２６】
コネクタカバー１１０は、カバー本体１１１と、このカバー本体１１１の側部にヒンジ部１２０を介して連結されたコルゲート蓋部１２１とを備えている。カバー本体１１１は、電線カバー本体部１１２とこの電線カバー本体部１１２の下方に一体に設けられたコルゲート保持部１１３とを有する。
【００２７】
電線カバー本体部１１２の両側部には、ロック爪１１５がそれぞれ設けられている。一対のロック爪１１５がコネクタハウジング１０２の一対のロック溝１０６に係止することによってコネクタカバー１１０がコネクタハウジング１０２に装着されている。
【００２８】
電線カバー本体部１１２の内部には、電線収容室１１４が設けられている。電線収容室１１４には、左右２箇所に電線保持部１１６が突設されている。各電線保持部１１６は、各電線Ｗを挟持する一対の電線挟持アーム１１６ａより形成されている。コネクタハウジング１０２の電線出口１０３より引き出された各電線Ｗは、一対の電線挟持アーム１１６ａで保持された状態で電線収容室１１４に配策される。電線収容室１１４に配策された一対の電線Ｗは、コルゲートチューブ１３０内を通って外部に引き出されている。
【００２９】
電線収容室１１４内では、電線Ｗが電線保持部１１６で保持されるため、電線収容室１１４内での電線Ｗの振動を防止できる。
【００３０】
しかしながら、前記比較例にあっては、コネクタハウジング１０２に装着されたコネクタカバー１１０の分解を行う場合に、コネクタカバー１１０のロック爪１１５をコネクタハウジング１０２のロック溝１０６より係止解除し、その後、電線保持部１１６で保持された電線Ｗを取り外す作業を行う必要がある。そのため、コネクタカバー１１０の分解作業性が悪い。
【００３１】
これに対し、本発明では、上記実施形態で説明したように、電線収容室１４内での電線Ｗの振動を防止でき、しかも、コネクタカバー１０の分解作業性が良い。
【符号の説明】
【００３２】
２  コネクタハウジング
１０  コネクタカバー
１４  電線収容室
１５  ロック爪（ロック部）
１６  電線保持部
１６ａ  電線挟持アーム
４０  解除補助部
Ｗ  電線
【図１】
2013008561.tif 000003
【図２】
2013008561.tif 000004
【図３】
2013008561.tif 000005
【図４】
2013008561.tif 000006
【図５】
2013008561.tif 000007
【図６】
2013008561.tif 000008
【図７】
2013008561.tif 000009
【図８】
2013008561.tif 000010
【図９】
2013008561.tif 000011
【図１０】
2013008561.tif 000012